(57)【要約】【課題】輝度を増加または減少する場合に、輝度調整操作に対して輝度の変化が容易に認識できる表示装置を提供することを課題とする。【解決手段】  ユーザの操作に応じて画像情報を表示する表示装置の画面の輝度をユーザの操作した操作量に対応した輝度値になるように制御する際に、ユーザの輝度調整操作直後の一瞬だけ表示手段の表示画面の輝度をユーザの操作に対応した輝度値よりも大きく変化させた後、ユーザの操作に対応した輝度値に戻すように制御する。このようにすると、１回の操作毎の輝度変化が大きくでき、ユーザは輝度調整操作に対して輝度の変化が容易に認識できる。【選択図】  図１
2005338162.tif 000002
【特許請求の範囲】
【請求項１】
入力された画像情報を表示する表示手段と、ユーザの操作に応じて該表示手段の表示画面の輝度を制御する輝度制御手段を有する表示装置において、
前記輝度制御手段は、ユーザの操作直後に前記表示手段の表示画面の輝度を一旦ユーザの操作に対応した輝度値よりも大きく変化させるように制御することを特徴とする表示装置。
【請求項２】
前記輝度制御手段は、ユーザの操作直後の一瞬だけユーザの操作に対応した輝度値よりも大きく変化させることを特徴とする請求項１記載の表示装置。
【請求項３】
前記輝度制御手段は、ユーザの操作に基づき前記表示手段の表示画面の輝度を操作毎に段階的に変化させることを特徴とする請求項１または請求項２記載の表示装置。
【請求項４】
前記表示手段は、入力された画像情報を表示する液晶表示パネルと、該液晶表示パネルの近傍に配置され該液晶表示パネルを照明するバックライトとで構成された液晶表示装置であり、
前記輝度制御手段は、ユーザの操作に基づき前記バックライトの輝度を制御することを特徴とする請求項１記載の表示装置。
【請求項５】
前記バックライトが放電管で構成されてなることを特徴とする請求項１記載の表示装置。
【請求項６】
前記バックライトが発光ダイオードで構成されてなることを特徴とする請求項１記載の表示装置。
【請求項７】
前記輝度制御手段は、前記ユーザの操作が連続的に行われると、前記操作に対応した輝度値よりも大きく変化させる制御を行わないことを特徴とする請求項１〜請求項６記載の表示装置。
【発明の詳細な説明】
【技術分野】
【０００１】
本発明は、画像情報を表示する表示装置に係り、特に表示画面の輝度の調整方法に関する。
【背景技術】
【０００２】
画像情報を表示する表示装置、例えば、液晶表示装置において、ユーザが表示画面の輝度を所望の輝度値になるように調整する場合について説明する。
【０００３】
図６は液晶表示装置の構成を示すブロック図である。図７は液晶表示装置の輝度調整操作の説明図である。図８は従来の液晶表示装置の輝度調整方法の説明図で、（ａ）はアップ操作時、（ｂ）はダウン操作時である。図９は従来のバックライトの駆動波形図で、（ａ）は標準輝度時、（ｂ）は高輝度時、（ｃ）は低輝度時である。
【０００４】
１１は入力された画像信号を表示する液晶表示パネルで、縦横の選択された表示ラインの交点の画素が表示される。１２は液晶表示パネル１１の側面に配置され、図示しない導光板に導かれ液晶表示パネル１１を背後から均一に照明するバックライトで、放電管等で構成される。２１は入力された画像信号を液晶表示パネル１１に表示するために信号変換する画像信号処理回路である。２２は液晶表示パネル１１の縦横の各表示ライン毎に設けられた駆動回路で、トランジスタ等で構成される。３１はユーザが表示画面の輝度を所望の輝度値に調整するために操作する輝度調整ボタンで、現状よりも輝度を上げるためのアップボタンと、現状よりも輝度を下げるためのダウンボタンで構成され、アップボタン１回の押圧操作（以下、押圧操作を単に操作と称する）で輝度が１段階アップし、ダウンボタン１回の操作で輝度が１段階ダウンする。３２は輝度調整ボタン３１の操作に応じて所定のＤｕｔｙのパルスを発生するマイコン等の制御ＩＣである。３３は制御ＩＣ３２の指示に基づき所定の電圧、Ｄｕｔｙのパルスを発生し、バックライト１２に出力するインバータである。
【０００５】
ユーザが表示画面の輝度を調整するために輝度調整ボタン３１を操作すると、図７に示すように低輝度から高輝度まで操作方向と回数に応じて輝度が上下に変化できる。例えば、今までの輝度が標準（初期設定）であった場合に、ユーザがアップボタンを１回操作する（＋方向）毎に（１ステップアップ操作と称す）図８（ａ）のごとく輝度が階段状に高くなる。また、ダウンボタンを１回操作する（−方向）毎に（１ステップダウン操作と称す）図８（ｂ）のごとく輝度が階段状に低くなる。
【０００６】
このような輝度を得るために、制御ＩＣ３２は図９（ａ）、（ｂ）、（ｃ）のごとくバックライト１２の駆動パルスの周期Ｔ０に対するオン（Ｈｉ）期間を変えたパルス（Ｄｕｔｙの異なるパルス）を出力する。つまり、標準輝度時よりも明るくする場合は、今まで図９（ａ）のごときＨｉの期間ｔ０のパルスを出力していたものを、図９（ｂ）に示すようにＤｕｔｙを高く（Ｈｉの期間ｔｂを長く）し、暗くする場合は、図９（ｃ）に示すようにＤｕｔｙを低く（Ｈｉの期間ｔｄを短く）する。このようにして、表示画面の輝度（明るさ）が調整される。
【０００７】
この出願の発明に関する先行技術文献としては次のものがある。
【特許文献１】特開２００１−４２８３２号
【発明の開示】
【発明が解決しようとする課題】
【０００８】
図１０は液晶表示装置の他の輝度調整操作の説明図である。
【０００９】
従来の液晶表示装置では、放電管の寿命や発熱の影響を少なくするために、図１０に示すように、標準（初期設定）値を基準として高輝度の範囲（図１０のＡ領域）においては、輝度を増加（＋方向）または減少（−方向）する場合には、標準（初期設定）値を基準として低輝度の範囲（図１０のＢ領域）よりも輝度調整ボタン３１の１回の操作に対して輝度の変化が小さくなっている。そのために、標準（初期設定）値から輝度を増加させる場合は、輝度調整ボタン３１の１回の操作に対して輝度の変化が小さくなるので、ユーザは画面が明るくなったという認識が得られない。同様に、標準（初期設定）値を基準として高輝度の範囲（図１０のＡ領域）において、高輝度から輝度を低下させる場合にも、輝度調整ボタン３１の１回の操作に対して輝度の変化が小さくなるので、ユーザは画面が暗くなったという認識が得られない。そのため、輝度調整機能が故障していると勘違いするという問題がある。
【００１０】
本発明は、このような点に鑑みなされたもので、表示画面の輝度を増加または減少する場合に、輝度調整ボタンの操作に対して輝度の変化が容易に認識できる表示装置を提供することを課題とする。
【課題を解決するための手段】
【００１１】
上記目的を達成するために、本発明は、入力された画像情報を表示する表示手段と、ユーザの操作に応じて該表示手段の表示画面の輝度を制御する輝度制御手段を有する表示装置において、前記輝度制御手段は、ユーザの操作直後に前記表示手段の表示画面の輝度を一旦ユーザの操作に対応した輝度値よりも大きく変化させるように制御することを特徴とするものである。
【００１２】
また、前記輝度制御手段は、ユーザの操作直後の一瞬だけユーザの操作に対応した輝度値よりも大きく変化させることを特徴とするものである。
【００１３】
また、前記輝度制御手段は、ユーザの操作に基づき前記表示手段の表示画面の輝度を操作毎に段階的に変化させることを特徴とするものである。
【００１４】
また、前記表示手段は、入力された画像情報を表示する液晶表示パネルと、該液晶表示パネルの近傍に配置され該液晶表示パネルを照明するバックライトとで構成された液晶表示装置であり、前記輝度制御手段は、ユーザの操作に基づき前記バックライトの輝度を制御することを特徴とするものである。
【００１５】
また、前記バックライトが放電管で構成されてなることを特徴とするものである。
【００１６】
また、前記バックライトが発光ダイオードで構成されてなることを特徴とするものである。
【００１７】
また、前記輝度制御手段は、前記ユーザの操作が連続的に行われると、前記操作に対応した輝度値よりも大きく変化させる制御を行わないことを特徴とするものである。
【発明の効果】
【００１８】
本発明によれば、表示画面の輝度を増加または減少させる場合に、輝度調整ボタンの操作に対して輝度の変化が容易に認識できる表示装置が提供できる。
【発明を実施するための最良の形態】
【００１９】
本発明の実施の形態に係る液晶表示装置について、図面を参照して説明する。
【実施例】
【００２０】
図１は本発明の一実施例に係る液晶表示装置の輝度アップ調整方法の説明図である。図２は輝度アップ時のバックライトの駆動波形図で、（ａ）は前回設定時、（ｂ）は１ステップアップ操作時、（ｃ）は２ステップアップ操作時である。図３は本発明の一実施例に係る液晶表示装置の輝度ダウン調整方法の説明図である。図４は輝度ダウン時のバックライトの駆動波形図で、（ａ）は前回設定時、（ｂ）は１ステップダウン操作時、（ｃ）は２ステップダウン操作時である。図５は本発明の一実施例に係る液晶表示装置の他の輝度調整方法の説明図である。尚、液晶表示装置の構成は従来と同じ構成であり、ユーザが操作する輝度調整ボタン３１の操作状態に基づいて制御ＩＣ３２が行う処理が異なるだけであるので説明は省略する。また、本実施例は表示画面の輝度を段階的に変える都度、輝度を短時間だけ変える方向に増加させるものである。
【００２１】
ユーザがアップボタンを１回押圧操作（以下、押圧操作を単に操作と称する）すると（１ステップアップ操作時）、図１のごとく前回設定時の輝度値Ｌ０から第１ピーク輝度値Ｌｕ１１まで一旦上昇し、時間Ｔの間ピーク輝度値を保持した後、１ステップアップ操作に対応する輝度値Ｌｕ１０に戻る。この状態から、さらに、アップボタンを１回操作すると（２ステップアップ操作時）、図１のごとく１ステップアップ操作に対応する輝度値Ｌｕ１０から第２ピーク輝度値Ｌｕ２１まで一旦上昇し、時間Ｔの間ピーク輝度値を保持した後、２ステップアップ操作に対応する輝度値Ｌｕ２０に戻る。以下、詳細は説明しないが、３ステップアップ操作時についても同様に輝度が変更される際に、第３ピーク輝度値まで一旦輝度が上昇され、時間Ｔの間ピーク輝度値を保持した後、３ステップアップ操作に対応する輝度値まで戻る。つまり、アップ操作毎に単に輝度が階段的に上昇するのではなく、階段の先端にピークが形成されている点が従来とは異なる。その結果、従来はアップボタンの１回操作で輝度値がＬｕ１０−Ｌ０しか変化しなかったものが、本発明ではアップボタンの１回操作で短時間ではあるが輝度値がＬｕ１１−Ｌ０と大きく変化でき、ユーザはアップボタンの操作時に（または操作時毎に）輝度変化が容易に認識できるようになる。尚、ピーク輝度値を保持する期間は短く、一時的な変化なので変化を感じる程度であり輝度調整に支障は生じない。
【００２２】
このような輝度パターンを得るために、制御ＩＣ３２はアップボタンが操作されると、バックライト１２の駆動パルスの周期Ｔ０に対するオン（Ｈｉ）期間を変えたパルス（Ｄｕｔｙの異なるパルス）を出力する。つまり、今まで図２（ａ）のごときＨｉの期間ｔ０のパルスを出力していたものを、１ステップアップ操作時には、図２（ｂ）のごとくＨｉの期間ｔｕ１１（但し、ｔｕ１１＞ｔｕ１０＞ｔ０）のパルスを時間Tの間出力する。そして、操作から時間T経過後はＨｉの期間ｔｕ１０のパルスを出力する。また、２ステップアップ操作時には、図２（ｃ）のごとくＨｉの期間ｔｕ２１（但し、ｔｕ２１＞ｔｕ２０＞ｔｕ１０）のパルスを時間Tの間出力する。操作から時間T経過後はＨｉの期間ｔｕ２０のパルスを出力する。
【００２３】
また、ユーザがダウンボタンを１回操作すると（１ステップダウン操作時）、図３のごとく前回設定時の輝度値Ｌ０から第１ピーク輝度値Ｌｄ１１まで一旦下降し、時間Ｔの間ピーク輝度値を保持した後、１ステップダウン操作に対応する輝度値Ｌｄ１０に戻る。さらに、ダウンボタンを１回操作すると（２ステップダウン操作時）、図３のごとく１ステップダウン操作に対応する輝度値Ｌ１０から第２ピーク輝度値Ｌｄ２１まで一旦下降し、時間Ｔの間ピークを保持した後、２ステップダウン操作に対応する輝度Ｌｄ２０に戻る。つまり、操作毎に単に輝度が階段的に下降するのではなく、階段の先端にピークが形成されている点が従来と異なる。その結果、従来は１回操作で輝度変化がＬ０−Ｌｄ１０であったものが、本発明では１回操作で輝度変化がＬ０−Ｌｄ１１と大きくなり、ユーザはダウンボタンの操作時に（または操作時毎に）輝度変化が容易に認識できるようになる。
【００２４】
このような輝度を得るために、制御ＩＣ３２はバックライト１２の駆動パルスのオン（Ｈｉの期間）・オフ（Ｌｏの期間）の比率を変えたパルスを出力する。つまり、図４（ｂ）のごとく１ステップダウン操作時には、Ｈｉの期間ｔｄ１１（但し、ｔ０＞ｔｄ１０＞ｔｄ１１）のパルスを時間Tの間出力する。操作から時間T経過後はＨｉの期間ｔｄ１０のパルスを出力する。また、図４（ｃ）のごとく２ステップダウン操作時には、Ｈｉの期間ｔｄ２１（但し、ｔｄ１０＞ｔｄ２０＞ｔｄ２１）のパルスを時間Tの間出力する。操作から時間T経過後はＨｉの期間ｔｄ２０のパルスを出力する。
【００２５】
尚、図５のごとく前回設定時の輝度値Ｌ０から第１ピーク輝度値Ｌｕ１１まで一旦上昇し、ピークを保持せずに、徐々に１ステップアップ操作に対応する輝度値Ｌｕ１０に戻る。さらに、アップボタンを１回操作すると（２ステップアップ操作時）、図５のごとく１ステップアップ操作に対応する輝度値Ｌｕ１０から第２ピーク輝度値Ｌｕ２１まで一旦上昇し、ピークを保持せずに、徐々に２ステップアップ操作に対応する輝度値Ｌｕ２０に戻るようにしてもよい。要はユーザのステップアップ操作時に輝度変化が大きくなるように制御する。また、輝度を下降させる場合にも同様の操作を行うことにより、操作時に輝度変化が大きくできる。
【００２６】
以上のように、本実施例の液晶表示装置によれば、表示画面の輝度を段階的に増加または減少する場合に、輝度調整ボタンの操作に対して輝度の変化が容易に認識できる表示装置を提供することができる。
【００２７】
尚、本実施例では、輝度を上昇または下降させると輝度を一旦操作に対応した輝度値よりも大きく変化させたが、連続操作により操作前と操作後の輝度変化量が大きい場合については、ユーザの操作に対応する輝度の変化が判り易いので、このような制御を行う必要はない。
【００２８】
また、バックライトとして放電管以外に、発光ダイオード（ＬＥＤ）を使用した場合についても同様の効果が得られる。また、輝度を制御する方法として、Ｄｕｔｙを制御する他に電流を制御するようにしてもよい。
【００２９】
さらに、表示装置として液晶表示装置を例に述べたが、ＣＲＴを使用した表示装置についても、表示画面の輝度を段階的に増加または減少する場合にも同様の効果が得られる。この場合には輝度調整方法としてＤｕｔｙを制御する代わりに電流値を制御するようにすればよい。
【図面の簡単な説明】
【００３０】
【図１】本発明の一実施例に係る液晶表示装置の輝度アップ調整方法の説明図である。
【図２】輝度アップ時のバックライトの駆動波形図である。
【図３】本発明の一実施例に係る液晶表示装置の輝度ダウン調整方法の説明図である。
【図４】輝度ダウン時のバックライトの駆動波形図である。
【図５】本発明の一実施例に係る液晶表示装置の他の輝度調整方法の説明図である。
【図６】液晶表示装置の構成を示すブロック図である。
【図７】液晶表示装置の輝度調整操作の説明図である。
【図８】従来の液晶表示装置の輝度調整方法の説明図である。
【図９】従来のバックライトの駆動波形図である。
【図１０】液晶表示装置の他の輝度調整操作の説明図である。
【符号の説明】
【００３１】
１１・・・液晶表示パネル
１２・・・バックライト
２１・・・画像信号処理回路
２２・・・駆動回路
３１・・・輝度調整ボタン
３２・・・制御ＩＣ
３３・・・インバータ
【図１】
2005338162.tif 000003
【図２】
2005338162.tif 000004
【図３】
2005338162.tif 000005
【図４】
2005338162.tif 000006
【図５】
2005338162.tif 000007
【図６】
2005338162.tif 000008
【図７】
2005338162.tif 000009
【図８】
2005338162.tif 000010
【図９】
2005338162.tif 000011
【図１０】
2005338162.tif 000012